(57)【要約】      （修正有）【課題】ゲートウェイ装置の初期化を行う場合に、任意の初期設定値を選択する。【解決手段】自機が起動した際に設定する初期設定値を識別するフラグを保存するフラグ保存部、および複数の初期設定値を保存する初期設定値保存部からなる設定保存部１２と、ゲートウェイ装置制御部１３を含む。制御部１３はユーザ操作に応じ、設定保存部１２内の初期設定値保存部から初期設定値を選択する初期設定値選択部１３１と、選択された初期設定値に対応するフラグをフラグ保存部に保存させるフラグ保存指示部と、フラグの保存後、自機を再起動する再起動部１３３と、自機の再起動後、保存されたフラグを確認するフラグ確認部１３４と、確認されたフラグに対応する初期設定値を初期設定値保存部から読み出し、自機に設定するゲートウェイ装置制御部１３内の初期設定部１３５とを備える。【選択図】図４
2015219649.tif 000002
【特許請求の範囲】
【請求項１】
自機が起動した際に設定する初期設定値を識別するフラグを保存するフラグ保存部、および複数の初期設定値を保存する初期設定値保存部からなる設定保存部と、
ユーザ操作に応じ、前記初期設定値保存部から初期設定値を選択する初期設定値選択部と、
前記初期設定値選択部により選択された初期設定値に対応するフラグを前記フラグ保存部に保存させるフラグ保存指示部と、
前記フラグ保存部によるフラグの保存後、自機を再起動する再起動部と、
前記再起動部による自機の再起動後、前記フラグ保存部に保存されたフラグを確認するフラグ確認部と、
前記フラグ確認部により確認されたフラグに対応する初期設定値を前記初期設定値保存部から読み出し、自機に設定する初期設定部と
を備えたゲートウェイ装置。
【請求項２】
前記初期設定値選択部は、外部端末を介したユーザ操作に従い、初期設定値を選択する
ことを特徴とする請求項１記載のゲートウェイ装置。
【請求項３】
自機の初期化を指示する際にユーザにより押下される初期化ボタンと、
前記初期化ボタンの押下を検出する押下検出部と、
前記初期設定値保存部に保存された各初期設定値を識別するように点灯可能な装置ランプと、
前記フラグ保存部に保存されたフラグに応じて前記装置ランプの点灯を制御する装置ランプ制御部とを備え、
前記初期設定値選択部は、前記押下検出部による押下の検出に応じ、前記フラグ保存部に保存された現在のフラグに基づいて、初期設定値を選択する
ことを特徴とする請求項１記載のゲートウェイ装置。
【請求項４】
自機が起動した際に設定する初期設定値を識別するフラグを保存するフラグ保存部、および複数の初期設定値を保存する初期設定値保存部からなる設定保存部を備えたゲートウェイ装置の初期化方法であって、
ユーザ操作に応じ、前記初期設定値保存部から初期設定値を選択する初期設定値選択ステップと、
前記初期設定値選択ステップにおいて選択した初期設定値に対応するフラグを前記フラグ保存部に保存させるフラグ保存指示ステップと、
前記フラグ保存部によるフラグの保存後、自機を再起動する再起動ステップと、
前記再起動ステップにおける自機の再起動後、前記フラグ保存部に保存されたフラグを確認するフラグ確認ステップと、
前記フラグ確認ステップにおいて確認したフラグに対応する初期設定値を前記初期設定値保存部から読み出し、自機に設定する初期設定ステップとを有する
ことを特徴とするゲートウェイ装置の初期化方法。
【発明の詳細な説明】
【技術分野】
【０００１】
この発明は、一般の通信網とローカルネットワークとの間で相互通信を行うゲートウェイ装置およびその初期化方法に関するものである。
【背景技術】
【０００２】
通常、ゲートウェイ装置は、設置環境やゲートウェイ装置に接続される周辺機器の使用によって、これらの機器と適切に接続するため、インタフェースなどの設定を行う必要がある。この設定は、ＬＡＮ側ネットワークに接続されたＰＣなどの制御端末において、設定用ツールを起動させることで行っている。
【０００３】
一方、装置故障が発生した場合や、装置交換を行う場合など、設定を初期設定値に戻すことが必要な場合が考えられる。このため、ゲートウェイ装置では、設定を初期設定値に戻すための初期化ボタンを備えている。そして、必要なときに初期化ボタンを押下することで、装置内部の設定値を予め決められた初期設定値に戻すことが可能である。また、制御ツールにより、装置の設定および状態監視を行う機能を設け、遠隔で初期設定値に戻すことも可能である。
【０００４】
この設定値を初期設定値に戻す方法の一例として、通信網で接続された管理システムからの指示により、設定値を装置に反映する方法がある（例えば特許文献１参照）。
【先行技術文献】
【特許文献】
【０００５】
【特許文献１】特開２００７−２８０３２８号公報
【発明の概要】
【発明が解決しようとする課題】
【０００６】
通常、上記の初期設定値は、ゲートウェイ装置の製造メーカによって工場出荷時設定として決められている。一方で、実際に装置をユーザに販売する販売メーカが、独自の設定を初期設定値として設定したいという要望がある。この場合、初期化指示があった場合に読み出す工場出荷時設定を、販売メーカ希望の設定値に変更することで対応可能である。しかしながら、この場合、製造メーカが設定した工場出荷時設定への初期化は不可能となる。よって、必要に応じて初期化の設定内容を分けることができないという課題があった。
【０００７】
この発明は、上記のような課題を解決するためになされたもので、初期化を行う場合に、任意の初期設定値を選択することができるゲートウェイ装置を提供することを目的としている。
【課題を解決するための手段】
【０００８】
この発明に係るゲートウェイ装置は、自機が起動した際に設定する初期設定値を識別するフラグを保存するフラグ保存部、および複数の初期設定値を保存する初期設定値保存部からなる設定保存部と、ユーザ操作に応じ、初期設定値保存部から初期設定値を選択する初期設定値選択部と、初期設定値選択部により選択された初期設定値に対応するフラグをフラグ保存部に保存させるフラグ保存指示部と、フラグ保存部によるフラグの保存後、自機を再起動する再起動部と、再起動部による自機の再起動後、フラグ保存部に保存されたフラグを確認するフラグ確認部と、フラグ確認部により確認されたフラグに対応する初期設定値を初期設定値保存部から読み出し、自機に設定する初期設定部とを備えたものである。
【０００９】
この発明に係るゲートウェイ装置の初期化方法は、ユーザ操作に応じ、初期設定値保存部から初期設定値を選択する初期設定値選択ステップと、初期設定値選択ステップにおいて選択した初期設定値に対応するフラグをフラグ保存部に保存させるフラグ保存指示ステップと、フラグ保存部によるフラグの保存後、自機を再起動する再起動ステップと、再起動ステップにおける自機の再起動後、フラグ保存部に保存されたフラグを確認するフラグ確認ステップと、フラグ確認ステップにおいて確認したフラグに対応する初期設定値を初期設定値保存部から読み出し、自機に設定する初期設定ステップとを有するものである。
【発明の効果】
【００１０】
この発明によれば、上記のように構成したので、初期化を行う場合に、任意の初期設定値を選択することができる。
【図面の簡単な説明】
【００１１】
【図１】この発明の実施の形態１に係るゲートウェイ装置および周辺機器の全体構成を示す図である。
【図２】この発明の実施の形態１に係るゲートウェイ装置の内部構成を示す図である。
【図３】この発明の実施の形態１における設定保存部の内部構成を示す図である。
【図４】この発明の実施の形態１におけるゲートウェイ装置制御部の内部構成を示す図である。
【図５】この発明の実施の形態１に係るゲートウェイ装置の動作を示すフローチャートである。
【図６】この発明の実施の形態２に係るゲートウェイ装置の内部構成を示す図である。
【図７】この発明の実施の形態２におけるゲートウェイ装置制御部の内部構成を示す図である。
【図８】この発明の実施の形態２に係るゲートウェイ装置の動作を示すフローチャートである。
【発明を実施するための形態】
【００１２】
以下、この発明の実施の形態について図面を参照しながら詳細に説明する。
実施の形態１．
図１はこの発明の実施の形態１に係るゲートウェイ装置１および周辺機器を示す全体構成図である。
ゲートウェイ装置１は、イーサネット接続（イーサネットは登録商標／以下、記載を省略する）などにより一般の通信網２との通信が可能であり、その通信網２とローカルネットワーク３との間でデータの送受を行う。また、ローカルネットワーク３には、複数のローカル端末４（図１の例では３台のローカル端末４ａ〜４ｃ）がイーサネットなどにより接続されている。また、ローカルネットワーク３には、ゲートウェイ装置１の設定、状態を確認するゲートウェイ制御端末（外部端末）５が接続されている。そして、ユーザは、このゲートウェイ制御端末５から、グラフィカルユーザインタフェースなどを介して、ゲートウェイ装置１の設定および状態の確認を行うことができる。なお、このゲートウェイ制御端末５は、ソフトウェアに基づくＣＰＵを用いたプログラム処理によって実行される。
【００１３】
次に、ゲートウェイ装置１の内部構成について、図２を参照しながら説明する。
ゲートウェイ装置１は、図２に示すように、ローカルネットワークインタフェース部１１、設定保存部１２およびゲートウェイ装置制御部１３から構成されている。
【００１４】
ローカルネットワークインタフェース部１１は、ローカルネットワーク３に接続された機器とイーサネットで接続して通信を行うものである。
【００１５】
設定保存部１２は、図３に示すように、自機が起動した際に設定する初期設定値を識別するフラグ（初期設定選択番号）を保存するフラグ保存部１２１と、複数の初期設定値を保存する初期設定値保存部１２２とから構成されている。この設定保存部１２は、ＨＤＤ、ＤＶＤ、メモリなどによって構成される。なお図３の例では３つの初期設定値を保存した場合（初期設定値保存部１２２ａ〜１２２ｃ）を示しているが、それ以外の数の初期設定値を保存してもよく、その際の動作は変わらない。
【００１６】
ゲートウェイ装置制御部１３は、自機（ゲートウェイ装置１）の制御を行うものである。このゲートウェイ装置制御部１３は、ソフトウェアに基づくＣＰＵを用いたプログラム処理によって実行される。また、ゲートウェイ装置制御部１３は、ゲートウェイ装置１の初期化を行うための構成として、図４に示すように、初期設定値選択部１３１、フラグ保存指示部１３２、再起動部１３３、フラグ確認部１３４および初期設定部１３５を有している。
【００１７】
初期設定値選択部１３１は、ユーザ操作に応じ、初期設定値保存部１２２から初期設定値を選択するものである。
フラグ保存指示部１３２は、初期設定値選択部１３１により選択された初期設定値に対応するフラグをフラグ保存部１２１に保存させるものである。
再起動部１３３は、フラグ保存部１２１によるフラグの保存後、自機を再起動するものである。
フラグ確認部１３４は、再起動部１３３による自機の再起動後、フラグ保存部１２１に保存されたフラグを確認するものである。
初期設定部１３５は、フラグ確認部１３４により確認されたフラグに対応する初期設定値を初期設定値保存部１２２から読み出し、自機に設定するものである。
【００１８】
次に、上記のように構成されたゲートウェイ装置１の初期化動作について、図５を参照しながら説明する。
ゲートウェイ装置１の初期化動作では、図５に示すように、ユーザがローカルネットワーク３に繋がっているゲートウェイ制御端末５を介してゲートウェイ装置１の初期化を指示すると、まず、初期設定値選択部１３１は、そのユーザ操作に応じ、初期設定値保存部１２２から初期設定値を選択する（ステップＳＴ５１、初期設定値保存ステップ）。
【００１９】
次いで、フラグ保存指示部１３２は、初期設定値選択部１３１により選択された初期設定値に対応するフラグをフラグ保存部１２１に保存させる（ステップＳＴ５２、フラグ保存指示ステップ）。そして、設定保存部１２のフラグ保存部１２１は上記選択された初期設定値に対応するフラグを保存する。
【００２０】
次いで、再起動部１３３は、フラグ保存部１２１によるフラグの保存後、自機を再起動する（ステップＳＴ５３、再起動ステップ）。これによりゲートウェイ装置１は再起動する。
【００２１】
次いで、フラグ確認部１３４は、再起動部１３３による自機の再起動後、フラグ保存部１２１に保存されたフラグを確認する（ステップＳＴ５４、フラグ確認ステップ）。
【００２２】
次いで、初期設定部１３５は、フラグ確認部１３４により確認されたフラグに対応する初期設定値を初期設定値保存部１２２から読み出し、自機に設定する（ステップＳＴ５５、初期設定ステップ）。その後、ゲートウェイ装置１は設定された初期設定値に応じて動作する。
【００２３】
以上の動作により、例えば図３において、初期設定値保存部１２２ａに製造メーカが工場出荷の際に設定した初期設定値を保存し、初期設定値保存部１２２ｂに販売メーカが独自に設定した初期設定値を保存しておくことで、どちらの初期設定値でも起動することが可能となる。また、初期設定値保存部１２２ｂ，１２２ｃを販売メーカで使用することで、サービス内容などにより、複数の初期設定値を有することも可能となる。
【００２４】
以上のように、この実施の形態１によれば、自機が起動した際に設定する初期設定値を識別するフラグと、複数の初期設定値とを保存し、ゲートウェイ装置１を再起動した際に、選択したフラグに対応する初期設定値を読み出して設定するように構成したので、初期化を行う場合に、任意の初期設定値を選択することができる。
【００２５】
実施の形態２．
実施の形態１では、ゲートウェイ装置１とローカルネットワーク３を介して接続されるゲートウェイ制御端末５を用いて、初期設定値を指定する場合について示した。これに対し、実施の形態２では、ゲートウェイ装置１に設けた初期化ボタン１４の押下により初期設定値を指定する場合について示す。
図６はこの発明の実施の形態２に係るゲートウェイ装置１の内部構成を示す図である。この図６に示す実施の形態２に係るゲートウェイ装置１の内部構成は、図２に示す実施の形態１に係るゲートウェイ装置１の内部構成に初期化ボタン１４、押下検出部１５、装置ランプ１６および装置ランプ制御部１７を追加し、ゲートウェイ装置制御部１３をゲートウェイ装置制御部１３ｂに変更したものである。そのほかの構成は同様であり、同一の符号を付して異なる部分についてのみ説明を行う。なお図６では、ローカルネットワークインタフェース部１１の図示を省略している。
【００２６】
初期化ボタン１４は、自機の初期化を指示する際にユーザにより押下されるものである。
押下検出部１５は、初期化ボタン１４の押下を検出するものである。
装置ランプ１６は、初期設定値保存部１２２に保存された各初期設定値を識別するように点灯（点滅動作も含む）が可能なものである。なお図６の例では、図３に示す３つの初期設定値に合わせて、３台の装置ランプ１６ａ〜１６ｃにより点灯を行う場合を示している。
装置ランプ制御部１７は、フラグ保存部１２１に保存されたフラグに応じて装置ランプ１６の点灯を制御するものである。この装置ランプ制御部１７は、ゲートウェイ装置制御部１３ｂのランプ動作指示部１３６による指示に従い動作する。
【００２７】
図７はこの発明の実施の形態２におけるゲートウェイ装置制御部１３ｂの内部構成を示す図である。この図７に示す実施の形態２におけるゲートウェイ装置制御部１３ｂは、図４に示す実施の形態１におけるゲートウェイ装置制御部１３にランプ動作指示部１３６を追加し、初期設定値選択部１３１を初期設定値選択部１３１ｂに変更したものである。その他の構成は同様であり、同一の符号を付して異なる部分についてのみ説明を行う。
【００２８】
初期設定値選択部１３１ｂは、押下検出部１５による押下の検出に応じ、フラグ保存部１２１に保存された現在のフラグに基づいて、初期設定値保存部１２２から初期設定値を選択するものである。
ランプ動作指示部１３６は、再起動部１３３によるゲートウェイ装置１の再起動後、装置ランプ制御部１７による装置ランプ１６の制御を指示するものである。
【００２９】
次に、上記のように構成されたゲートウェイ装置１の初期化動作について、図８を参照しながら説明する。
ゲートウェイ装置１の初期化動作では、図８に示すように、ユーザがゲートウェイ装置１の初期化ボタン１４を押下することでゲートウェイ装置１の初期化を指示すると、まず、押下検出部１５は、初期化ボタン１４の押下を検出する（ステップＳＴ８１、押下検出ステップ）。
【００３０】
次いで、初期設定値選択部１３１ｂは、そのユーザ操作に応じ、フラグ保存部１２１に保存された現在のフラグに基づいて、初期設定値保存部１２２から初期設定値を選択する（ステップＳＴ８２、初期設定値保存ステップ）。この際、初期設定値選択部１３１ｂは、フラグ保存部１２１に保存された現在のフラグを読み出し、次に起動する際にゲートウェイ装置１に設定する初期設定値として、現在のフラグの次のフラグに対応する初期設定値を選択する。
【００３１】
次いで、フラグ保存指示部１３２は、初期設定値選択部１３１により選択された初期設定値に対応するフラグをフラグ保存部１２１に保存させる（ステップＳＴ８３、フラグ保存指示ステップ）。そして、設定保存部１２のフラグ保存部１２１は上記選択された初期設定値に対応するフラグを保存する。
【００３２】
次いで、再起動部１３３は、フラグ保存部１２１によるフラグの保存後、自機を再起動する（ステップＳＴ８４、再起動ステップ）。これによりゲートウェイ装置１は再起動する。
【００３３】
次いで、フラグ確認部１３４は、再起動部１３３による自機の再起動後、フラグ保存部１２１に保存されたフラグを確認する（ステップＳＴ８５、フラグ確認ステップ）。
【００３４】
次いで、初期設定部１３５は、フラグ確認部１３４により確認されたフラグに対応する初期設定値を初期設定値保存部１２２から読み出し、自機に設定する（ステップＳＴ８６、初期設定ステップ）。その後、ゲートウェイ装置１は設定された初期設定値に応じて動作する。
【００３５】
また、装置ランプ制御部１７は、フラグ保存部１２１に保存されたフラグに応じて装置ランプ１６の点灯を制御する（ステップＳＴ８７、装置ランプ制御ステップ）。すなわち、再起動部１３３によるゲートウェイ装置１の再起動後に、ランプ動作指示部１３６からの指示に従い、フラグ保存部１２１に保存されているフラグを読み込み、当該フラグに対応する初期設定値を識別するように装置ランプ１６の点灯制御を行う。そして、装置ランプ１６は、上記初期設定値を識別するように点灯を行う。図６の例では、ゲートウェイ装置１が初期設定値保存部１２２ａの値が適用された場合には装置ランプ１６ａが点灯し、初期設定値保存部１２２ｂの値が適用された場合には装置ランプ１６ｂが点灯し、初期設定値保存部１２２ｃの値が適用された場合には装置ランプ１６ｃが点灯する。
【００３６】
これにより、ユーザは、装置ランプ１６の点灯状態から、ゲートウェイ装置１がどの初期設定値で起動したかを目視確認できる。そして、もし期待する初期設定値ではない場合には、再度初期化ボタン１４を押下して上記動作を繰り返す。
【００３７】
以上のように、この実施の形態２によれば、ゲートウェイ制御端末５に代えて初期化ボタン１４を用いてユーザが初期化指示を行うように構成したので、実施の形態１における効果に加え、ゲートウェイ制御端末５がない場合でも初期設定値の指定が可能となる。
【００３８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３９】
１  ゲートウェイ装置、２  通信網、３  ローカルネットワーク、４，４ａ〜４ｃ  ローカル端末、５  ゲートウェイ制御端末（外部端末）、１１  ローカルネットワークインタフェース部、１２  設定保存部、１３，１３ｂ  ゲートウェイ装置制御部、１４  初期化ボタン、１５  押下検出部、１６，１６ａ〜１６ｃ  装置ランプ、１７  装置ランプ制御部、１２１  フラグ保存部、１２２，１２２ａ〜１２２ｃ  初期設定値保存部、１３１，１３１ｂ  初期設定値選択部、１３２  フラグ保存指示部、１３３  再起動部、１３４  フラグ確認部、１３５  初期設定部、１３６  ランプ動作指示部。
【図１】
2015219649.tif 000003
【図２】
2015219649.tif 000004
【図３】
2015219649.tif 000005
【図４】
2015219649.tif 000006
【図５】
2015219649.tif 000007
【図６】
2015219649.tif 000008
【図７】
2015219649.tif 000009
【図８】
2015219649.tif 000010